(57)【要約】【課題】中央処理装置が不要な最終退室監視端末を提供すること。【解決手段】作業者が携帯する最終退室監視端末１００が、監視対象となる複数の端末２００、３００、４００と、無線で直接または中継により確認信号及び応答信号を送受信することにより最終退室の監視を行う。【選択図】  図１
2005018127.tif 000002
【特許請求の範囲】
【請求項１】
他の端末と無線で通信する通信手段と、前記通信手段の通信成立状況により退室状況を判断する制御手段と、前記制御手段に制御され前記退室状況の報知を行なう報知手段とから構成される最終退室監視端末。
【請求項２】
端末は自端末のＩＤと通信すべき端末のＩＤを記憶する記憶手段を備え、前記通信手段は通信すべき相手端末に対し確認信号を送信し、前記確認信号に対する相手端末からの応答信号を受信し、前記記憶手段は前記応答信号の受信状況を記憶するとともに、前記制御手段は前記応答信号を受信状況から退室状況を判断することを特徴とする請求項１に記載の最終退室監視端末。
【請求項３】
前記制御手段は前記記憶手段に記憶された通信すべきすべての端末と通信できなくなった際に最終退出者になったと判断することを特徴とする請求項２に記載の最終退室監視端末。
【請求項４】
前記制御手段は前記記憶手段に記憶された通信すべき端末の内複数の端末と通信できなくなった際に最終退出者に近づいたと判断することを特徴とする請求項２に記載の最終退室監視端末。
【請求項５】
前記確認信号及び応答信号はユニークなセッション番号を含み、自端末宛て以外の確認信号または応答信号を受信した端末は、同一のセッション番号を含む確認信号または応答信号を１回のみ中継送信することを特徴とする請求項２に記載の最終退室監視端末。
【請求項６】
前記中継を行なう際は、予め登録された端末ＩＤ宛の確認信号及び応答信号のみ中継を行なうことを特徴とする請求項５に記載の最終退室監視端末。
【請求項７】
前記中継を行なう際は、前記通信手段は自端末ＩＤに基づく時間だけキャリアセンスを行ない他の端末が電波を送信していないことを確認してから中継を行なうことを特徴とする請求項５に記載の最終退室監視端末。
【請求項８】
前記確認信号の送信は定期的に行なうことを特徴とする請求項２または請求項５に記載の最終退室監視端末。
【請求項９】
前記応答信号の送信は、前記確認信号を受信した際、人の操作を介さず行なうことを特徴とする請求項２または請求項５に記載の最終退室監視端末。
【請求項１０】
人の操作を受付ける操作入力手段を備え、前記確認信号の送信は前記操作入力手段の操作内容により行なうことを特徴とする請求項２または請求項５に記載の最終退室監視端末。
【請求項１１】
前記自端末宛の確認信号を受信した際は報知を行なうことを特徴とする請求項２または請求項５に記載の最終退室監視端末。
【請求項１２】
端末ＩＤを表示する表示手段を備え、前記自端末宛の確認信号を受信した際は、送信元ＩＤを表示することを特徴とする請求項１１に記載の最終退室監視端末。
【請求項１３】
人の操作を受付ける操作入力手段を備え、前記応答信号の送信は前記操作入力手段の操作内容により行なうことを特徴とする請求項２または請求項５に記載の最終退室監視端末。
【請求項１４】
請求項１〜１３のいずれか１項記載の最終退室監視端末の機能の少なくとも一部をコンピュータに実現させるためのプログラム。
【発明の詳細な説明】
【０００１】
【発明の属する技術分野】
本発明は、複数の作業者が作業を行うエリア内で、最終退出者となった作業者に対し、最終退出者である旨報知し、注意喚起を行なう最終退室監視端末を提供するものである。
【０００２】
【従来の技術】
複数の作業者が作業を行う事務所等では、一般的に最終退出する作業者が戸締まりの確認、また照明や空調設備の電源を切るといった最終退室作業を行なうため、自分が最終退出者であるかどうかを確認する必要がある。このための事務所等への入退室を管理する入退室管理装置が考案されている（例えば、特許文献１参照）。
【０００３】
【特許文献１】
特許第２６８５８８１号公報
【０００４】
【発明が解決しようとする課題】
しかしながら、前記従来の構成では、入退室管理装置の中央処理装置が必要であり、導入には高価な費用が必要であるとともに、有線通信であるため設置工事に関しても制限があった。
【０００５】
本発明は、前記従来の課題を解決するもので、中央処理装置を必要としない最終退室監視端末を提供することを目的とする。
【０００６】
【課題を解決するための手段】
前記従来の課題を解決するために、本発明の最終退室監視端末は、無線を用いて各端末同志が直接、或いは、中継しながら通信できるようにしたものである。これによって、安価に、また、施工を伴わない最終退室監視が可能となる。
【０００７】
【発明の実施の形態】
請求項１に記載の発明は、他の端末と無線で通信する通信手段と、前記通信手段の通信成立状況により退室状況を判断する制御手段と、前記制御手段に制御されされ前記退室状況の報知を行なう報知手段とから構成することにより、作業者に携帯される端末同志が直接通信できるため、安価で施工が不要な最終退室監視端末を提供することができる。
【０００８】
請求項２に記載の発明は、特に請求項１に記載の端末を、自端末のＩＤと通信すべき端末のＩＤを記憶する記憶手段を備え、通信手段は通信すべき相手端末に対し確認信号を送信し、確認信号に対する相手端末からの応答信号を受信し、記憶手段は応答信号の受信状況を記憶するとともに、制御手段は応答信号を受信状況から退室状況を判断するよう構成することにより、効率的な最終退室監視端末を提供することができる。
【０００９】
請求項３に記載の発明は、特に請求項２に記載の端末を、制御手段は記憶手段に記憶された通信すべきすべての端末と通信できなくなった際に最終退出者になったと判断する構成とすることにより、確実な最終退室監視端末を提供することができる。
【００１０】
請求項４に記載の発明は、特に請求項２に記載に端末を、制御手段は記憶手段に記憶された通信すべき端末の内複数の端末と通信できなくなった際に最終退出者に近づいたと判断する構成とすることにより、最後の数人の在室者となった段階で作業者に注意を喚起する最終退室監視端末を提供することができる。
【００１１】
請求項５に記載の発明は、特に請求項２に記載に端末を、確認信号及び応答信号はユニークなセッション番号を含み、自端末宛て以外の確認信号または応答信号を受信した端末は、同一のセッション番号を含む確認信号または応答信号を１回のみ中継送信する構成とすることにより、直接は通信できない広い作業範囲もカバーできる最終退室監視端末を提供することができる。
【００１２】
請求項６に記載の発明は、特に請求項５に記載の端末を、中継を行なう際は、予め登録された端末ＩＤ宛の確認信号及び応答信号のみ中継を行なう構成とすることにより、効率的な中継を行なう最終退室監視端末を提供することができる。
【００１３】
請求項７に記載の発明は、特に請求項５に記載の端末を、中継を行なう際は、通信手段は自端末ＩＤに基づく時間だけキャリアセンスを行ない他の端末が電波を送信していないことを確認してから中継を行なうよう構成することにより、効率的な中継を行なう最終退室監視端末を提供することができる。
【００１４】
請求項８に記載の発明は、特に請求項２に記載の端末を、確認信号の送信は定期的に行なうよう構成することにより、自動的に最終退出者である旨報知を行なう最終退室監視端末を提供することができる。
【００１５】
請求項９に記載の発明は、特に請求項２に記載の端末を、応答信号の送信は前記確認信号を受信した際、人の操作を介さず行なうことにより、自動的に最終退出者である旨報知を行なう最終退室監視端末を提供することができる。
【００１６】
請求項１０に記載の発明は、特に請求項２に記載の端末を、人の操作を受付ける操作入力手段を備え、確認信号の送信は操作入力手段の操作内容により行なうよう構成することにより、必要なときのみ通信を行なう効率的な最終退室監視端末を提供することができる。
【００１７】
請求項１１に記載の発明は、特に請求項２に記載の端末を、自端末宛の確認信号を受信した際は報知を行なうよう構成することで、誰かが退室しようとした際に知らせることができる最終退室監視端末を提供することができる。
【００１８】
請求項１２に記載の発明は、特に請求項１１に記載の端末を、端末ＩＤを表示する表示手段を備え、自端末宛の確認信号を受信した際は、送信元ＩＤを表示するよう構成することで、誰かが退室しようとした際にその作業者の端末ＩＤを知らせることができる最終退室監視端末を提供することができる。
【００１９】
請求項１３に記載の発明は、特に請求項２に記載の端末を、人の操作を受付ける操作入力手段を備え、応答信号の送信は前記操作入力手段の操作内容により行なうように構成することにより、応答信号を送信しないことで、明示的に退室した意志を表示する最終退室監視端末を提供することができる。
【００２０】
請求項１４に記載の発明は、請求項１〜１３のいずれか１項記載の最終退室監視端末の機能の全てもしくは一部をコンピュータに実行させるためのプログラムである。そして、プログラムであるので携帯電話や携帯情報端末、携帯パソコンを用いて本発明の最終退室監視端末の一部あるいは全てを容易に実現することができる。また記憶媒体に記憶したり通信回線を用いてプログラムを配信したりすることでプログラムの配布やインストール作業が簡単にできる。
【００２１】
【実施例】
以下、本発明の第１に実施例について、図を参照しながら説明する。
【００２２】
（実施例１）
図１は、本発明の第１の実施例における最終退室監視端末（以下、端末と表記）の構成図及び本端末を利用した最終退室監視システムの構成図を示す。
【００２３】
１００、２００、３００、４００、・・・は端末であり、退室監視を行なう部屋に属する作業者に携帯される。端末１００において１０１は通信手段であり、他の端末と無線で通信する。１０２は制御手段であり、他の端末と通信ができなくなった際に他の端末を携帯する作業者が退室したものと判断し、報知手段１０３を制御する。報知手段１０３は自端末を携帯する作業者に対して最終退出者になった旨、音や光その他の手段を用いて報知を行なう。他の端末２００、３００、４００、・・・も同様の構成を有しており、それぞれ同様に各端末と通信し、最終退出判断と報知を行う。
【００２４】
（実施例２）
図２は、本発明の第２の実施例における端末の構成図及び本端末を利用した最終退室監視システムの構成図を示す。
【００２５】
１１０、２１０、３１０、４１０、・・・は端末であり、退室監視を行なう部屋に属する作業者に携帯される。端末１１０において、１１４は記憶手段であり、自端末のＩＤと通信すべき相手端末のＩＤを記憶するとともに各端末との通信状況を記憶している。制御手段１１２は記憶手段１１４が記憶している相手端末に対し、通信手段１１１を介して、確認信号を送信する。例えば、端末２１０に対して確認信号１−２ａを送信した場合、端末２１０はこれ受信し、応答信号２−１ｂを返信する。応答信号２−１ｂは通信手段１１１で受信され、制御手段１１２はその通信状況、即ち端末２１０と通信が成立していることを記憶手段１１４に記憶する。制御手段１１４は順次各端末との通信を行なうとともに、記憶手段１１４に記憶されている各端末との通信状況を判断し、報知すべき際は報知手段１１３を制御する。
【００２６】
図３は第２の実施例の動作手順と、記憶手段の構成例、確認信号及び応答信号の構成例を示すものである。本例では自端末ＩＤは１１０であり、通信すべき相手端末ＩＤは２１０、４１０である。自端末１１０はこれらの端末と順次通信を試みる。端末１１０が端末２１０と通信する場合の動作手順を説明する。まず、端末１１０の制御手段１１２は、記憶手段１１４から自端末ＩＤと、相手先端末ＩＤ（本例では端末２１０のＩＤ）を読み出す（Ｓ１）。制御手段１１４は自端末ＩＤを送信元ＩＤに、また、端末２１０のＩＤを送信先ＩＤとし、また種別は「確認」とし確認信号を生成する（Ｓ２）。この確認信号を通信手段１１１を介して無線で送信する（Ｓ３）。この確認信号は端末２１０の通信手段２１１で受信され（Ｓ４）、制御手段２１２は受信された確認信号の相手先ＩＤ（Ｓ５）と記憶手段２１４が記憶している自端末ＩＤ（Ｓ６）とを比較（Ｓ７）し一致した場合は、自端末向け確認信号であるため応答信号を生成し送信する。端末２１０の制御手段２１２は自端末ＩＤを送信元ＩＤに、また、受信された確認信号の送信元ＩＤ（本例では端末１１０のＩＤ）を送信先ＩＤとし、また種別は「応答」とし応答信号を生成する（Ｓ８）。この応答信号を通信手段２１１を介して無線で送信する（Ｓ９）。この応答信号を受信した（Ｓ１０）端末１１０は端末２１０との通信が成立している旨記憶手段に記憶する。尚、自端末ＩＤ向け以外の確認信号を受信した端末は、応答信号を送信しない。本実施例における記憶手段の構成例を図６（ａ）に、確認信号（１−２ａ）の構成例を図６（ｂ）に、応答信号（２−１ｂ）の構成例を図６（ｃ）に示す。
【００２７】
同様の動作で、通信すべき相手端末との通信を行ない、すべての端末との通信状況が未成立になった場合、制御手段１１２は報知手段１１３を制御し、端末１１０を持つ作業者に最終退出者となった旨報知を行なう。
【００２８】
尚、通信が成立する端末が予め設定された台数（例えば１台）になった時点で、最終退出者に近づいた旨報知することもできる。
【００２９】
（実施例３）
図４は、本発明の第３の実施例における端末の構成例及び電文の構成例を示す。
【００３０】
端末１２０において、１２５はセッション管理手段である。セッション管理手段１２５は、制御手段１２２が確認信号及び応答信号を生成する際、ユニークなセッション番号を制御手段１２２に供給し、制御手段１２２はこのセッション番号を含んだ確認信号及び応答信号を構成する。また、自端末宛でない確認信号、または、応答信号を受信した際、制御手段１２２はセッション番号を記憶手段１２４に記憶し、同一セッション番号につき受信した確認信号、または、応答信号を１回のみ中継送信するようにしたものである。本実施例における確認信号（１−Ｘａ）及び応答信号（Ｘ−１ｂ）の構成例を図７（ａ）、（ｂ）に示す。
【００３１】
次に、本発明の第３の実施例における端末の動作手順を説明する。
【００３２】
図５は、本発明の第３の実施例における端末の動作手順を示す図である。
【００３３】
図５において、１２０、２２０、３２０、４２０は端末であり、端末１２０と端末４２０は直接無線通信できないものとして説明する。
【００３４】
端末１２０が端末４２０に対して確認信号を送信する場合、端末１２０は送信元ＩＤに自端末のＩＤを送信先ＩＤに端末４２０のＩＤを入れて確認信号を生成する（Ｓ２１）が、この際、セッション管理手段１２５からセッション番号（ｎ）を入手し確認信号に組み込む。端末１２０が送信した確認信号を、端末２２０及び端末３２０は受信するが、端末４２０は電波が届かないため受信できない（Ｓ２２）。次に、自端末宛ではない確認信号を受信した端末２２０は、セッション番号を記憶するとともに、自端末ＩＤに基づく時間キャリアセンスし、他の端末が送信していないことを確認した後（Ｓ２３）、受信した電文をそのまま中継する（Ｓ２４）。端末２２０が中継送信した確認信号は、端末１２０、３２０、４２０で受信される。端末１２０は受信された確認信号のセッション番号を検出し、既に送信済みのため中継は行なわない（Ｓ２５）。また、端末３２０は受信された確認信号のセッション番号を検出し記憶するとともに、自端末ＩＤに基づく時間キャリアセンスし、他の端末が送信していないことを確認した後、受信した電文をそのまま中継する（Ｓ２６）。端末３２０が中継した確認信号は端末１２０、２２０、２４０で受信されるが、端末１２０及び端末２２０はセッション番号を確認し、中継は行なわない（Ｓ２７）。端末４２０は、端末２２０及び３２０が中継送信した確認信号を受信し、自端末宛であることとセッション番号が同じで有ることから１度だけ応答信号を送信する（Ｓ２８）。この応答信号は、送信元ＩＤに端末４２０のＩＤが、送信先ＩＤに端末１２０のＩＤが、種別には「応答」が入れられる。また、セッション番号は端末４２０のセッション管理手段が新たに生成したセッション番号（ｍ）が用いられる。以降図示しないが、端末４２０の送信した応答信号は、同様に中継され、端末１２０で受信される。端末４２０からの応答信号を中継受信することで、端末１２０は端末４２０と直接通信できなくても存在を確認できる。
【００３５】
以上のように本実施例によれば、簡単な構成で確認信号及び応答信号を輻輳することなく中継できるため、最終退室監視端末の監視エリアを拡げることが可能となる。
【００３６】
また、限られたエリアの中で作業をする作業者の最終退室を監視する場合は各端末が中継送信を行う際、送信元となる端末ＩＤにより中継動作に制限をかけることで、中継回数を減らし電波資源を有効に使いながら、最終退室管理を行うことができる。端末がとても多い場合、例えば事務所のすべての作業者がこの端末を利用した場合、一つの確認信号に対してすべての端末がそれぞれ一度は中継動作をするのですべての中継動作が終わるのに時間がかかり、また、この中継動作が終わるまでは、別の新たな確認信号を送信できない。そこで、必要な確認信号だけ、例えば事務所の特定の部屋等に限定した端末だけ、を中継することで中継範囲を限定することができ、時間と電波資源の有効活用ができる。
【００３７】
また、端末に入力手段を設け、作業者が操作した際に記憶手段に記憶された各端末に対し順次確認信号を送信するようにすることで、電波資源の使用の効率良い最終退出管理ができる。
【００３８】
また、端末が定期的に記憶手段に記憶された各端末に対し順次確認信号を送信するようにすれば、作業者の手を煩わせることなく、より確実な最終退出監視を行うことができる。
【００３９】
また、自分宛の確認信号を受信した際、端末が確認信号を受信した旨、報知することで作業者に注意を喚起することもできる。
【００４０】
さらに、確認信号を送信した端末のＩＤを表示するようにすれば、誰が、最終確認をしようとしているのかがわかり利便性が高くできる。また各ＩＤに対応した端末の携帯者のテーブルを記憶しておき、端末のＩＤを表示するほかに携帯者を表示するようにしてもよい。
【００４１】
なお、本実施例の各手段をコンピュータやマイコンを用いて最終退室監視端末の一部あるいは全てを実現するプログラムであってもよい。またそのプログラムを記憶媒体に記憶したり通信回線を用いてプログラムを配信したりすることでプログラムの配布やインストール作業が簡単にできるメリットがある。
【００４２】
【発明の効果】
以上のように、本発明によれば、端末同志が直接または中継により無線通信することで最終退室監視を効率よく行なう最終退室監視端末を提供することができる。
【図面の簡単な説明】
【図１】本発明の第１の実施例における最終退室監視端末の構成図及び本端末を利用した最終退室監視システムの構成図
【図２】本発明の第２の実施例における最終退室監視端末の構成図及び本端末を利用した最終退室監視システムの構成図
【図３】本発明の第２の実施例における動作手順と、記憶手段の構成例、確認信号及び応答信号の構成例を示す図
【図４】本発明の第３の実施例における端末の構成例を示す図
【図５】本発明の第３の実施例における端末の動作手順を示す図
【図６】（ａ）本発明の第２の実施例における記憶手段の構成例を示す図
（ｂ）本発明の第２の実施例における確認信号の電文の構成例を示す図
（ｃ）本発明の第２の実施例における応答信号の電文の構成例を示す図
【図７】（ａ）本発明の第３の実施例におけるセッション番号を含んだ確認信号の電文の構成例を示す図
（ｂ）本発明の第３の実施例におけるセッション番号を含んだ応答信号の電文の構成例を示す図
【符号の説明】
１００、１１０、１２０、２００、２１０、２２０、３００、３１０、３２０、４００、４１０、４２０  最終退室監視端末
１０１、１１１、１２１  通信手段
１０２、１１２、１２２  制御手段
１０３、１１３、１２３  報知手段
１１４、１２４  記憶手段
１２５  セッション管理手段
【図１】
2005018127.tif 000003
【図２】
2005018127.tif 000004
【図３】
2005018127.tif 000005
【図４】
2005018127.tif 000006
【図５】
2005018127.tif 000007
【図６】
2005018127.tif 000008
【図７】
2005018127.tif 000009